(57)【要約】【課題】位置探知方法と装置を、少ない伝導ワイヤーを用い、精密な位置情報を求めるように改良し、高価なものではなく、精度が高い方法で生産された装置を提供する。【解決手段】列、行伝導ワイヤー３０６、３１１の２つの配列は、絶縁層３０２、３０４によって絶縁されており、上記列伝導ワイヤー３０６にはピッチｃがあり、各々の列伝導ワイヤーの間には共通列伝導ワイヤー３０８が、列伝導ワイヤーからｃ／２の距離の所に引かれており、上記行伝導ワイヤー３１１にはピッチｄがあり、各々の行伝導ワイヤーの間には共通行伝導ワイヤー３０８が、行伝導ワイヤーからｄ／２の距離の所に引かれており、上記共通列伝導ワイヤーは共通列ターミナルに接続され、上記共通行伝導ワイヤーは共通行ターミナルに接続される構成を有する位置探知装置。【選択図】    図３
2004245608.tif 000002
【特許請求の範囲】
【請求項１】
位置探知装置は、静電容量連絡装置の位置を平面状に於いて測定する事に使われ、以下、
列、行伝導ワイヤーの２つの配列は、絶縁層によって絶縁されており、上記列ワイヤーにはピッチｃがあり、各々の列ワイヤーの間には共通列ワイヤーが、列ワイヤーからｃ／２の距離の所に引かれており、
上記行ワイヤーにはピッチｄがあり、各々の行ワイヤーの間には共通行ワイヤーが、行ワイヤーからｄ／２の距離の所に引かれており、
上記共通列ワイヤーは共通列ターミナルに接続され、
上記共通行ワイヤーは共通行ターミナルに接続され、
線選択解読器と駆動器は、上記列ワイヤーと上記行ワイヤーに、また同時に共通列と共通列ワイヤーとに連続的に、交流信号を供給し、交流信号を供給されていない上記共通ワイヤーに、一定の電圧レベルを供給し、また交流信号を供給されていない列と行に、特定の直流電圧を供給し、
発振器は必須の振動を起こし、交流信号電圧振幅と、マイクロプロセッサーに上記信号電圧を供給し、
上記マイクロプロセッサーは、上記線選択解読器と駆動器に母線経由で連続信号を供給し、
静電容量連絡装置は、上記平面における点の、検出された信号を探知し、上記検出された信号を、上記隔離ワイヤーを経由して増幅器へ送られ、
振幅探知機はこれを受け、上記静電容量連絡装置からの上記検出された信号の振幅を検出し、Ａ／Ｄ変換器へ送り、
上記Ａ／Ｄ変換器は、上記検出された信号振幅をデジタル信号に変え、上記マイクロプロセッサーへ送る、
構成を有することを特徴とする位置探知装置。
【請求項２】
前記位置探知装置は、列と共通列にのみ履行されるという点を特徴とする請求項１記載の位置探知装置。
【請求項３】
前記位置探知装置は、行と共通行にのみ履行されるという点を特徴とする請求項１記載の位置探知装置。
【請求項４】
前記伝導ワイヤーは金属性であるという点を特徴とする請求項１記載の位置探知装置。
【請求項５】
前記伝導ワイヤーは透明な金属酸化物であるという点を特徴とする請求項１記載の位置探知装置。
【請求項６】
前記伝導ワイヤーはスクリーンプリントによる形態であるという点を特徴とする請求項１記載の位置探知装置。
【請求項７】
前記伝導ワイヤーは堆積物による形態であるという点を特徴とする請求項１記載の位置探知装置。
【請求項８】
前記伝導ワイヤーはめっきによる形態であるという点を特徴とする請求項１記載の位置探知装置。
【請求項９】
前記伝導ワイヤーはプラスチック層による形態であるという点を特徴とする請求項１記載の位置探知装置。
【請求項１０】
前記伝導ワイヤーはガラス層による形態であるという点を特徴とする請求項１記載の位置探知装置。
【請求項１１】
前記伝導ワイヤーはソフト層による形態であるという点を特徴とする請求項１記載の位置探知装置。
【請求項１２】
前記特定の電圧レベルと特定の直流電圧は接地（アース）電位であるという点を特徴とする請求項１記載の位置探知装置。
【請求項１３】
前記特定電圧レベルは直流電圧であるという点を特徴とする請求項１記載の位置探知装置。
【請求項１４】
前記特定電圧レベルは交流電圧であるという点を特徴とする請求項１記載の位置探知装置。
【請求項１５】
平面に置いての位置探知の為の方法は、列と行伝導ワイヤーと、各々２つの列、行ワイヤーの間にある共通ワイヤーと、Ｐ点を知らせる検出された信号を得る為の、線選択解読器と駆動器、発振器信号、マイクロプロセッサー、静電容量連絡装置を入念に選択、接続され、以下（ａ）〜（ｇ）のステップを踏むことを特徴とする位置探知方法。
（ａ）一頁の共通列とその他の頁に交流信号が供給され、Ｖ（２）とＶ（１）として、静電容量連絡装置によってその信号は測定される。
（ｂ）Ｖ（２）とＶ（１）の値の大きさを比較し、その頁の探知を測定する。
（ｃ）第ｋ列と第ｋ＋１列に同時に交流信号が供給され、どこがｋ＝１からＮ−１かを、他の全ての列に特定直流電圧と共通列に特定電圧レベル電位をかけ、静電容量連絡装置によってその信号は測定されＶｋとする。
（ｄ）最大値Ｖｋを測定し、もしＶｋが最大ならばその電位は第ｋ列と第ｋ＋１列の間にあるという事である。
（ｅ）第ｋ列にだけ交流信号を供給し、他の全ての列に特定の直流電圧と共通列に特定の電圧レベル電位をかけ、その信号Ｖｋを測定し、その後、第ｋ＋１列にだけ交流信号を供給し、他の全ての列に特定の直流電圧と共通列に特定の電圧レベル電位をかけ、その信号Ｖｋ＋１とし、ＶｋとＶｋ＋１を比較し、もしＶｋがＶｋ＋１より大きな値の場合は、Ｐ点は第ｋ列により近いという事になり、もしＶｋがＶｋ＋１より小さい場合は、Ｐ点は第ｋ＋１列により近いという事になる。
（ｆ）共通列に交流信号が供給され、全ての列に特定の直流電圧をかけ、信号Ｖ１を測定し、全ての列に交流信号を供給し、共通列に特定の直列電圧をかけ、信号Ｖ２を測定し、Ｖ２とＶ１を比較し、もしＶ２／Ｖ１の値が１より大きい場合、Ｐ点は第ｋ列に近いといえ、もしＶ２／Ｖ１の値が１より小さい場合はＰ点は共通列に近いと言える。
（ｇ）行について（ａ）から（ｆ）のステップを繰り返す。
【請求項１６】
前記特定電圧レベルと特定直流電圧は接地（アース）電位であるという点を特徴とする請求項１５記載の位置探知方法。
【請求項１７】
前記特定電圧レベルは直流電圧であるという点を特徴とする請求項１５記載の位置探知方法。
【請求項１８】
前記特定電圧レベルは交流電圧であるという点を特徴とする請求項１５記載の位置探知方法。
【請求項１９】
第ｋ列と共通列の間にある空間をｎ等分に分割し、対応する各々の空間ｎの実験Ｖ２／Ｖ１比率値をその伝導ワイヤー上の異なる一定材料の誘導体や異なる材料の厚さによって蓄積し、その位置は、検出されるＶ２／Ｖ１比率と蓄積された値を比較することにより決定されることを特徴とする、請求項１５記載の位置探知方法。
【発明の詳細な説明】
【０００１】
【発明の属する技術分野】
本発明の装置、及び方法に於いては、使い手によって選ばれた平面による位置探知であり、また、その座標に対応した情報を指し、その位置の座標を提供するものである。とりわけ本発明である位置探知装置は、少ない伝導ワイヤーを用いた二次元の平面においての位置を検出し、より正確な探知結果を示すことが出来るようにする技術分野に属する。
【０００２】
【従来の技術】
表面上におけるＳｔｙｌｕｓ（探知筆）の示す位置を測定する様々な技術が存在している。その中のとある技術は、平板の表面の下、もしくは例えばコンピューターモニターの表面上の、水平と垂直に張り巡らされた格子状のワイヤーによるものや、図１に示されているようにＳｔｙｌｕｓ（探知筆）によって選択された表示信号の位置を提供する。ワイヤー１０１による一層は、第０列から第Ｎ列までの解析によるピッチが格子状に等間隔に離されている。もう一方の層であるワイヤー１０２は、第０行から第Ｍ行までの、同一、もしくは異なるピッチによる形態である。それぞれのワイヤーは、選択多重送信ワイヤーによって繋がれている、伝導体駆動器と接続されている。交流信号は第０列、第１列それから第Ｎ列まで連続的に加えられる。アメリカの特許申請案Ｎｏ．５／１４９，９１９案、及び、グリニアス（Ｇｅｅｎｉａｓ）とその他の者によるＮｏ．４／６５６，３３２案に述べられているのはこのタイプの技術を使った二者である。これらの装置は、とても狭いピッチの格子を必要とする伝導ワイヤー群に、駆動器信号を供給する事によって位置を測定し、これは伝導ワイヤーが増すと精度が上がる。並びに導線を駆動する為に伝導体駆動器がもっと必要にもなる。機械的にも電気的にも複雑になることはあまり歓迎はされない。それらの中のうちの一つで、既にワイヤー群を用いた技巧があるが、正確面においては依然限界がある。交流信号が第Ｋ列に供給されている時は、他の全ての列は０電位を示している（すなわちアース電圧）。交流信号はＳｔｙｌｕｓ（探知筆）の様な静電容量連絡装置によって検出される。信号が検出されている間、探知装置の列の位置が測定される。列の位置測定後、交流信号は行の方へ同じような仕組みで適用する。行の位置もまた、測定されることになる。
【０００３】
他の技術を図２で示しており、これは、電気抵抗のある導体層２００と、３または４ヶ所の離れた接触点２０１とその導体層との電気的相互連絡を表したものである。信号が各々の接触点に適用されている時、選択された位置は、Ｓｔｙｌｕｓ（探知筆）から受ける信号とプロセッサーの計算によって位置測定される。これらはアメリカ特許申請案Ｎｏ．５／８７７，４５８、及びＮｏ．５／６８６，７０５、デービットＪコンロイ（Ｄａｖｉｄ  Ｊ．Ｃｏｎｒｏｙ）及びマークフラワース  （Ｍａｒｋ  Ｆｌｏｗｅｒｓ）  にこのタイプの技術は記述されている。これらの様な装置では、計り手によるたった一つの位置を表示し、その場所の情報を記憶させることによって位置を測定する。これらの装置は４〜５本の伝導ワイヤーしか必要ではない（これらのワイヤーのうち、１本はＳｔｙｌｕｓ（探知筆）へ）。これはかなり均一に抵抗性を持つ、高精度の大量生産をなせる堆積技術を施された薄膜が、各々の装置に一層２００枚以上必要になる。堆積後、各々の装置のパラメーターや位置情報を調整することも必要になり、それもまた、測定された信号を、正確に位置座標に変える事を保証したかなりの精度のアナログ／デジタル（Ａ／Ｄ）変換機が必要になる。
【０００４】
【特許文献１】
米国特許番号第５／１４９，９１９号公報
【０００５】
【特許文献２】
米国特許番号第４／６５６，３３２号公報
【０００６】
【特許文献３】
米国特許番号第５／８７７，４５８号公報
【０００７】
【特許文献４】
米国特許番号第５／６８６，７０５号公報
【０００８】
【発明が解決しようとする課題】
本発明は、位置探知方法と装置を、少ない伝導ワイヤーを用い、精密な位置情報を求めるように改良すること、そしてそれは高価なものではなく、精度が高い方法で生産された装置を提供することを目的とする。
【０００９】
本発明の目的は、選択された平面状の位置を測定するための装置、及び、位置探知方法の改良を提供する為のものである。
また他の目的としては位置探知方法と装置に、位置を感知する少ない伝導ワイヤーを使うことである。
さらに他の目的としては位置探知方法と装置に、位置情報の精密度を増す事である。
その上の他の目的としては位置探知方法と装置の、信頼の置ける低価格製品の提供である。
【００１０】
【課題を解決するための手段】
本発明は、装置構造の位置を感知する少ない伝導ワイヤーを用いた、位置情報の正確さを増す事柄を教示する。
本発明のまず第一の観点として、平面で使用される位置探知装置で、絶縁層によって絶縁されている伝導ワイヤーを列と行に整列し、構成されている静電容量連絡装置の位置を測定する事を教示する。前記した列ワイヤーは一定間ｃがあり、各々の列ワイヤーの間には共通列ワイヤーがｃ／２の距離の所にあり、前記した行ワイヤー同士が一定間ｄとすると、各々の行ワイヤーの間には共通行ワイヤーがｄ／２の距離の所にあり、前記の共通列ワイヤーは共通列ターミナルに連結し、前記の共通行ワイヤーは共通行ターミナルに連結されており、線選択解読器と駆動器は、前記の列ワイヤーと、同じく前記の行ワイヤーに、また同様に共通列、共通行ワイヤーにも交流信号が連続的に供給され、発振器は必須の振動と交流信号電圧の振幅を起こし、前記信号電圧をマイクロプロセッサーに供給し、前記のマイクロプロセッサーは、前期の線選択解読器と駆動器へ母線を経由して前記の連続信号を供給し、静電容量連絡装置は、前記平面における一点の信号を感知し、前記の探知信号は隔離ワイヤー経由で増幅器へ送られ、振幅探知器は、前記の静電容量連絡装置から前記の探知信号の振幅を受け取り探知し、Ａ／Ｄ変換器へ伝え、このＡ／Ｄ変換器は、前記の探知信号の振幅を、デジタル信号に変え、前期のマイクロプロセッサーへ伝達する。
【００１１】
本発明の他の実施の形態として、平面に置いての位置探知の為の方法は、列と行伝導ワイヤーと、各々２つの列、行ワイヤーの間にある共通ワイヤーと、Ｐ点を知らせる検出された信号を得る為の、線選択解読器と駆動器、発振器信号、マイクロプロセッサー、静電容量連絡装置を入念に選択、接続され、以下これらのステップを踏む。
一頁の共通列とその他の頁に交流信号が供給され、Ｖ（２）とＶ（１）として、静電容量連絡装置によってその信号は測定される。
Ｖ（２）とＶ（１）の値の大きさを比較し、その頁の探知を測定する。
第ｋ列と第ｋ＋１列に同時に交流信号が供給され、どこがｋ＝０からＮ−１かを、他の全ての列と共通列に０電位をかけ、静電容量連絡装置によってその信号は測定されＶｋとする。
ＶｋとＶｋ−１とを比べた時、Ｖｋが最大値をとる場合は、その位置は第ｋ列と第ｋ＋１列の間にあるということになる。
第ｋ列にだけ交流信号を供給し、他の全ての列と共通列に０電位をかけ、その信号Ｖｋを測定し、その後、第ｋ＋１列にだけ交流信号を供給し、他の全ての列と共通列に０電位をかけ、その信号Ｖｋ＋１とし、ＶｋとＶｋ＋１を比較し、もしＶｋがＶｋ＋１より大きな値の場合は、Ｐ点は第ｋ列により近いという事になり、もしＶｋがＶｋ＋１より小さい場合は、Ｐ点は第ｋ＋１列により近いという事になる。
共通列に交流信号が供給され、全ての列に０電位をかけ、信号Ｖ１を測定し、全ての列に交流信号を供給し、共通列に０電位をかけ、信号Ｖ２を測定し、Ｖ２とＶ１を比較し、もしＶ２／Ｖ１の値が１より大きい場合、Ｐ点は第ｋ列に近いといえ、もしＶ２／Ｖ１の値が１より小さい場合はＰ点は共通列に近いと言える。；同様にして行の位置も測定される。
本発明の他の観点としては、第ｋ列と共通列の間にある空間をＮ等分に分割され、その伝導ワイヤー上の異なる一定材料の誘導体や、異なる材料の厚みによる実験の蓄積によるＶ２／Ｖ１比に対応する各々の空間ｎによって位置を決定することが出来る。
【００１２】
すなわち、本発明の位置探知装置は以下の特徴を有する。
１．位置探知装置は、静電容量連絡装置の位置を平面状に於いて測定する事に使われ、以下、
列、行伝導ワイヤーの２つの配列は、絶縁層によって絶縁されており、上記列ワイヤーにはピッチｃがあり、各々の列ワイヤーの間には共通列ワイヤーが、列ワイヤーからｃ／２の距離の所に引かれており、
上記行ワイヤーにはピッチｄがあり、各々の行ワイヤーの間には共通行ワイヤーが、行ワイヤーからｄ／２の距離の所に引かれており、
上記共通列ワイヤーは共通列ターミナルに接続され、
上記共通行ワイヤーは共通行ターミナルに接続され、
線選択解読器と駆動器は、上記列ワイヤーと上記行ワイヤーに、また同時に共通列と共通列ワイヤーとに連続的に、交流信号を供給し、交流信号を供給されていない上記共通ワイヤーに、一定の電圧レベルを供給し、また交流信号を供給されていない列と行に、特定の直流電圧を供給し、
発振器は必須の振動を起こし、交流信号電圧振幅と、マイクロプロセッサーに上記信号電圧を供給し、
上記マイクロプロセッサーは、上記線選択解読器と駆動器に母線経由で連続信号を供給し、
静電容量連絡装置は、上記平面における点の、検出された信号を探知し、上記検出された信号を、上記隔離ワイヤーを経由して増幅器へ送られ、
振幅探知機はこれを受け、上記静電容量連絡装置からの上記検出された信号の振幅を検出し、Ａ／Ｄ変換器へ送り、
上記Ａ／Ｄ変換器は、上記検出された信号振幅をデジタル信号に変え、上記マイクロプロセッサーへ送る、
構成を有することを特徴とする。
２．前記位置探知装置は、列と共通列にのみ履行されるという点を特徴とする。
３．前記位置探知装置は、行と共通行にのみ履行されるという点を特徴とする。
４．前記伝導ワイヤーは金属性であるという点を特徴とする。
５．前記伝導ワイヤーは透明な金属酸化物であるという点を特徴とする。
６．前記伝導ワイヤーはスクリーンプリントによる形態であるという点を特徴とする。
７．前記伝導ワイヤーは堆積物による形態であるという点を特徴とする。
８．前記伝導ワイヤーはめっきによる形態であるという点を特徴とする。
９．前記伝導ワイヤーはプラスチック層による形態であるという点を特徴とする。
１０．前記伝導ワイヤーはガラス層による形態であるという点を特徴とする。
１１．前記伝導ワイヤーはソフト層による形態であるという点を特徴とする。
１２．前記特定の電圧レベルと特定の直流電圧は接地（アース）電位であるという点を特徴とする。
１３．前記特定電圧レベルは直流電圧であるという点を特徴とする。
１４．前記特定電圧レベルは交流電圧であるという点を特徴とする。
【００１３】
また、本発明の位置探知方法は以下の特徴を有する。
１．平面に置いての位置探知の為の方法は、列と行伝導ワイヤーと、各々２つの列、行ワイヤーの間にある共通ワイヤーと、Ｐ点を知らせる検出された信号を得る為の、線選択解読器と駆動器、発振器信号、マイクロプロセッサー、静電容量連絡装置を入念に選択、接続され、以下（ａ）〜（ｇ）のステップを踏むことを特徴とする位置探知方法。
（ａ）一頁の共通列とその他の頁に交流信号が供給され、Ｖ（２）とＶ（１）として、静電容量連絡装置によってその信号は測定される。
（ｂ）Ｖ（２）とＶ（１）の値の大きさを比較し、その頁の探知を測定する。
（ｃ）第ｋ列と第ｋ＋１列に同時に交流信号が供給され、どこがｋ＝１からＮ−１かを、他の全ての列に特定直流電圧と共通列に特定電圧レベル電位をかけ、静電容量連絡装置によってその信号は測定されＶｋとする。
（ｄ）最大値Ｖｋを測定し、もしＶｋが最大ならばその電位は第ｋ列と第ｋ＋１列の間にあるという事である。
（ｅ）第ｋ列にだけ交流信号を供給し、他の全ての列に特定の直流電圧と共通列に特定の電圧レベル電位をかけ、その信号Ｖｋを測定し、その後、第ｋ＋１列にだけ交流信号を供給し、他の全ての列に特定の直流電圧と共通列に特定の電圧レベル電位をかけ、その信号Ｖｋ＋１とし、ＶｋとＶｋ＋１を比較し、もしＶｋがＶｋ＋１より大きな値の場合は、Ｐ点は第ｋ列により近いという事になり、もしＶｋがＶｋ＋１より小さい場合は、Ｐ点は第ｋ＋１列により近いという事になる。
（ｆ）共通列に交流信号が供給され、全ての列に特定の直流電圧をかけ、信号Ｖ１を測定し、全ての列に交流信号を供給し、共通列に特定の直列電圧をかけ、信号Ｖ２を測定し、Ｖ２とＶ１を比較し、もしＶ２／Ｖ１の値が１より大きい場合、Ｐ点は第ｋ列に近いといえ、もしＶ２／Ｖ１の値が１より小さい場合はＰ点は共通列に近いと言える。
（ｇ）行について（ａ）から（ｆ）のステップを繰り返す。
２．前記特定電圧レベルと特定直流電圧は接地（アース）電位であるという点を特徴とする。
３．前記特定電圧レベルは直流電圧であるという点を特徴とする。
４．前記特定電圧レベルは交流電圧であるという点を特徴とする。
５．第ｋ列と共通列の間にある空間をｎ等分に分割し、対応する各々の空間ｎの実験Ｖ２／Ｖ１比率値をその伝導ワイヤー上の異なる一定材料の誘導体や異なる材料の厚さによって蓄積し、その位置は、検出されるＶ２／Ｖ１比率と蓄積された値を比較することにより決定されることを特徴とする。
【００１４】
【発明の実施の形態】
これまでに述べてきた点と、本発明の他の長所は、この最も良い具体的に描写されている図を用いることによってより完全に理解が出来ることであろう。
本発明の実施の形態による図３は、伝導ワイヤー板の断面図であり、図４は列伝導ワイヤーと共通ワイヤーのレイアウトを示したものである。
図３は、層３０１上にある行ワイヤーの伝導層の堆積物、もしくはめっきであるスクリーンプリントによって作られた位置探知の伝導ワイヤー板３００を表し、例えばアルミニウムや銅などの伝導層は、第０行から第Ｍ行３１１までと共通ワイヤーによる形態をパターン化、エッチング（堆積方法による）される。
絶縁層３０２の形成後、他の伝導層は、絶縁層３０２を使って同じ方法により、第０列から第Ｎ列３０６の列ワイヤーと共通列ワイヤーＣＲ３０８を形成する。
最後に絶縁フィルム層３０４をこれらの列、及び共通列ワイヤーの一番上に形成する。
Ｐ点は静電容量連絡装置１０３によって探知され、これは増幅器（図１１参照）と隔離ワイヤー１０４によって繋がれる。
一つのある実施の形態であるが、列ワイヤーと行ワイヤーの層位置はおそらくかわることもあるであろう。例えば列ワイヤーが下になり、行ワイヤーが上になる事である。それらのワイヤーはおそらく、線選択解読器と駆動器（図１１に示す）に繋がれ、静電容量連絡装置１０３によって探知される各々のワイヤーに、連続的に交流信号を供給する。
【００１５】
図４は、第ｋ＋１列から第ｋ＋３列３０６と共通列ワイヤー３０８のレイアウトを示しており、また共通列ワイヤーは、各々の２つの列の真中に張られており、これらによって列ワイヤーの数は半分に縮小され、それでも位置探知の精度は維持される。
【００１６】
図５は、本発明の一つの実施の形態で、交流信号を列伝導ワイヤー、及び共同列伝導ワイヤーに、連続的に適応しているイラストである。
図５では、交流信号は“×”、０電位は“〇”と表している。
図５（Ａ）は、まず始めに静電容量連絡装置の先端、Ｐ点を示し、その後、交流信号は第０列と第１列と同時に適用され、他の全ての列と共通列は０電位を保持し、交流静電容量連絡装置によって信号を測定される。
例えばＳｔｙｌｕｓ（探知筆）をＶ１とし、それから交流信号を第１列と第２列に加え、その信号Ｖ２を測定する。
もし、Ｖｋが最大値をとる場合、静電容量連絡装置のその位置は、第ｋ列と第ｋ＋１列の間にあることになる。
次に図５（Ｂ）及び（Ｃ）について言及するが、Ｐ点が第ｋ列に近いのか、または第ｋ＋１に近いのかを決定する方法であり、交流信号を第ｋ列に加え、他の全ての列、及び共通列は０電位を保持し、図５（Ｂ）に示す、この信号Ｖｋを測定し、その後、交流信号を第ｋ＋１列に加え、他の全ての列、及び共通列は０電位を保持し、図５（Ｃ）に示す、この信号Ｖｋ＋１を測定し、このＶｋとＶｋ＋１の値の大きさを比べ、もし例えばＶｋがＶｋ＋１より大きい値の場合は、Ｐ点は第ｋ列により近いという事であり、その逆の場合は、Ｐ点は第ｋ＋１列により近いという事である。
この実施の形態により、この精度は２倍になる。というのはＰ点は第ｋ列により近いのか、それとも第ｋ＋１列により近いのかを決定できるのからであり、言い換えると、第ｋ列と第ｋ＋１列の間に２つの部分があるという事である。
そしてそのＰ点が第ｋ列により近いとすると、さらにＰ点がより共通ワイヤーに近いのか、より第ｋ列に近いのかを続けて測定をする。
交流信号を共同列に加え、他の全ての列を０電位に保持する事により、図５（Ｄ）に示す信号Ｖ１を測定し、それから交流信号を全ての列に加え、共通列は０電位を保持し、信号Ｖｋを測定する。図５（Ｅ）に示す。
もしＶ２／Ｖ１＞１の場合、Ｐ点は第ｋ列により近く、もしＶ２／Ｖ１＜１の場合はＰ点は共通列により近いという事になる。
この実施の形態から、列と列の間に共通列を入れる事により、精度は４倍に増す。言い換えると第ｋ列と第ｋ＋１列の間には４つの異なる位置が測定されるという事になる。
【００１７】
図６は本発明の一つの実施の形態による位置探知方法のフローチャートである。図６Ａは列空間の位置を測定する順序を示したものである。
この測定の始めは、静電容量連絡装置上にあるＰ点、ステップ６０１、ｋ＝０にセットし、ステップ６０２、交流信号を第ｋ列と第ｋ＋１列に加え、他の全ての列と共通列は０電位を保持し、Ｖｋを静電容量連絡装置によって測定する。
ステップ６０３はｋ＝Ｎ−１を測定する。もしＮｏの場合にはｋ＝ｋ＋１とセットし、ステップ６０２へ戻りｋ＝Ｎ−１となるまで繰り返され、その後、最大値であるＶｋをステップ６０４で見つけ、ステップ６０５へ進み、Ｐ点が第ｋ列を第ｋ＋１列の間にあるという事になる。
ステップ６０６では信号を第ｋ列に加え、他の列と共通列は０電位を保持し、Ｖｋを測定し、その後、ステップ６０７で交流信号を第ｋ＋１列に加え、他の列と共通列は０電位を保持し、Ｖｋ＋１測定し、ステップ６０８で、もしＶｋ＋１がＶｋより大きな値の場合はＹｅｓ、Ｐ点は第ｋ＋１列により近いと決定される。
Ｐ点を共通列により近いのか、第ｋ＋１列に近いのかを探知する手段として、ステップ６１０へ進み、交流信号を全ての列に加え、共通列は０電位を保持し、信号Ｖ２を測定する。
そしてＶ２とＶ１をステップ６１２で比べ、Ｖ２／Ｖ１の値が１より大きい場合にはＹｅｓへ進み、Ｐ点は第ｋ＋１列により近いといえ、もしＮｏの場合はＰ点は共通列により近い６１４といえる。
ステップ６０８に戻って、もしＶｋ＋１の値がＶｋより小さい場合、ステップ６１５へ進み、Ｐ点は第ｋ列により近いという事になる。
Ｐ点を共通列により近いのか、第ｋ列に近いのかを探知する手段として、ステップ６１６へ進み、交流信号を全ての列に加え、共通列は０電位を保持し、信号Ｖ２を測定し、そしてＶ２／Ｖ１の値が１より大きいかどうかを測定し、Ｙｅｓの場合、Ｐ点は第ｋ列に近いといえ、Ｎｏの場合はＰ点は共通列に近いと言える。そして測定はターミナルＡへと進む。
さらにこの方法で共通列と列の間の空間を３、５、６、７…等分に分ける事が出来る。
【００１８】
図７のイラストは共通列と列の間の空間を４等分したものである。
もしその伝導ワイヤー上の異なる一定材料の誘導体や、異なる材料の厚さによってＶ２／Ｖ１の比が、空間１、空間２．…に相当すると決定される場合、表１に示すように、これらの比率は制御装置に蓄積され、比較に使われ、それからＶ２／Ｖ１比率の測定はどの空間に位置するかを測定し、値の蓄積、比較される。
例えばもしＶ２／Ｖ１〜ａ２ならば、Ｐ点は空間２にあるという事である。
【表１】
2004245608.tif 000003
【００１９】
図８は２つの伝導ワイヤーの間にある精密な位置を測定するフローチャートである。
ステップ６０９か６１５へ来るまでの工程は、先に述べた図６の中に示す。
Ｐ点は既に第ｋ列に近いと決定されており、ステップ８０１へ進み、交流信号を共通列に加え、全ての列は０電位を保持し、信号Ｖ１を測定し、それからステップ８０３へ進み、交流信号を全ての列に加え、共通列は０電位を保持し、信号Ｖ２を測定し、そしてＶ２／Ｖ１比率の記録を使いステップ８０５、もしＶ２／Ｖ１〜ａ２ならばＰ点は空間２にあり、そしてその工程は終わりとなる。
列配列におけるＰ点の位置を決定した後、同じ工程により行配列の位置も決定される。
図６Ｂを参照し、この測定はターミナルＡより始まり、列空間上と同じ工程によって静電容量連絡装置上の行空間の位置を決定する。
列配列と行配列の位置測定を組み合わせる事により、静電容量連絡装置上平面の位置を決定するのである。
本発明の一つの実施の形態であるが、共通列、共通行に交流信号が加わらない場合は、０電位ではなく、その場合はある特定の電圧、例えば接地（アース）電位などであり、直流、あるいは交流電位は、交流信号が加わらない列と行はある特定の直流電圧となる。
【００２０】
図９は本発明の一つの実施の形態である前記の列、行、共通列、共通行のレイアウト平面図である。
列配列３０８と行配列３１１の２層は、列配列は水平に、また行配列は垂直に配置されている。また共通列３１２と共通行３１３も示している。
【００２１】
図１０は本発明の実施の形態による位置装置システム８００のブロックチャートを示している。
配電網基盤は異なるページの基盤を含み、具体化した第１頁と第２頁８１４があり、各々列配列（Ｒ０からＲＮ）、行配列（Ｒ０からＲＭ）、共通列（共通Ｒ１から共通Ｒ２）と共通行（共通Ｃ１から共通Ｃ２）とがある。２つのワイヤー（共通Ｒ２と共通Ｃ２）はもう１頁を加える事が必要である。
これらのワイヤーは位置探知システム８１０と接続され、交流信号を連続的に供給し、静電容量連絡装置のどのページによって探知された検出された信号かを決定する。
決定する手段として、静電容量連絡装置は頁に置かれ、交流信号は共通Ｒ２と共通Ｒ１に連続的に加えられＶ（２），Ｖ（１）、それぞれの信号を測定される。この受けた信号の大きさを比較する事によって、静電容量連絡装置のどの頁に位置しているのかを決定する事が出来る。
本発明の他の実施の形態として、前記の交流信号を共通Ｃ１及び共通Ｃ２に連続的に加える事によってその位置も決定する事が出来る。
【００２２】
図１１は本発明の実施の形態による位置探知、及び交流信号駆動器回路システムの構図である。
伝導ワイヤー板３００は５つの列（Ｒ０、Ｒ１、Ｒ３、Ｒ４）、５つの行（Ｃ０、Ｃ１、Ｃ２、Ｃ３、Ｃ４）を表し、前記列と行は、解読器と駆動器９０２によって選ばれたワイヤーと接続しており、前記の駆動器は前記の列ワイヤーと行ワイヤーに、また同時に前記共同列と共同行とに連続的に、交流信号を供給する。
発振器９０４は必須の振動を起こし、交流信号電圧の振幅と、マイクロプロセッサーに前記の信号電圧をライン９０５経由で供給し、前記マイクロプロセッサーは、前記線選択解読器と駆動器９０２に母線９０３経由で連続信号を供給し、例えばＳｔｙｌｕｓ（探知筆）１０３のような静電容量連絡装置はＰ点の信号を探知し、前記信号を隔離ワイヤー１０４経由で増幅器９０８へ送る。
前記増幅器９０８の出力は、振幅探知器９１０へ送られ、前記振幅探知器９１０は信号をＡ／Ｄ変換器９１２へライン９１１経由で送られ、前記Ａ／Ｄ変換器９１２は前記マイクロプロセッサーに伝達し、検出された信号は、前記マイクロプロセッサーによって分析され、その結果は位置データ出力９０７となる。
この発明の特定の実施の形態は明らかにされたが、これら技術の要領をもって、些細な変更はこの形態とこの文書で明らかにした特定の実施の形態データで導き出され、理解されるであろう。
上述してきた実施の形態は例えの目的の為であり、請求項の範囲を付け加える。
【００２３】
【発明の効果】
本発明は、静電容量連絡装置の位置を平面に於いて、この位置探知装置と方法により測定できるという事を明らかにした。
列と行からなる２配列の伝導性ワイヤーの形態は、基層上にある二層から成り、この二層は絶縁層によって絶縁されており、各々２列のワイヤー間には共通列ワイヤーがあり、また各々２行のワイヤー間には共通行ワイヤーがある。
上記の共通列には共通端子が、共通行には共通端子がそれぞれに繋がれている。交流シグナルは、連続的に起こる２つの隣接したワイヤーによって、第ｋ列と第ｋ＋１列の間にあるＰ点を限定する事に適用される。その後、交流シグナルは第ｋ列にのみ適用され、それから第ｋ＋１列にだけ適用され、そしてＰ点が第ｋ列に近いのか、または第ｋ＋１列に近いのかを決定する。
最後に交流シグナルは共通列に適用され、その後に全ての列に適用され、Ｐ点がより列に近いのか、もしくはより共通列に近いのかを決定する。
これら上記行程を結合させる事によって、二次元での位置を決定するのである。本方法は、少ない伝導列ワイヤー、及び伝導行ワイヤーで探知の精度を増すものである。
【図面の簡単な説明】
【図１】先行技術における、列、行の２層からなる伝導ワイヤーのレイアウトとＰ地点におかれるＳｔｙｌｕｓ（探知筆）を示す図である。
【図２】先行技術における、導体層２００と４つの接点２０１、Ｐ点を示すＳｔｙｌｕｓ（探知筆）１０３を示す図である。
【図３】本発明の一つの実施の形態による、伝導ワイヤー板の断面図とＳｔｙｌｕｓ（探知筆）とを組み合わせた図である。
【図４】本発明の一つの実施の形態による、列伝導ワイヤーと列共通伝導ワイヤーのレイアウトを示す図である。
【図５】（Ａ）（Ｂ）（Ｃ）（Ｄ）（Ｅ）は、伝導ワイヤー列と共通列に交流信号を連続的に供給した図である。
【図６】本発明の一つの実施の形態による、列における位置探知方法のフローチャートである。
【図７】本発明の一つの実施の形態による、行における位置探知方法のフローチャートである。
【図８】本発明の一つの実施の形態による、第ｋ列と共通列の間にある、より正確な位置の図である。
【図９】２つの伝導ワイヤーの間にある正確な位置を測定するフローチャートである。
【図１０】本発明の一つの実施の形態による、列、行、共通列、共通行のレイアウトの平面図である。
【図１１】２頁以上の位置探知システム８００のブロックチャートである。
【図１２】位置探知、ラジオ振動信号駆動器回路システムの構図である。
【符号の説明】
１０１、３０６  列伝導ワイヤー
１０２、３１１  行伝導ワイヤー
１０３  静電容量連絡装置
１０４  隔離ワイヤー
２００  導体層
２０１  接点
２０２、８０２、８０４、８０６、８０８、９０５、９０９、９１１、９１３、９１４  伝導ワイヤー
３００  伝導ワイヤー板
３０１  層
３０２、３０４  絶縁層
３０８  共通列伝導ワイヤー
３１２  共通列
３１３  共通行
６０１￣６２０、６０１’￣６２０’  ８０１、８０３、８０５、８０７  ステップ
８００、８１０  位置探知システム
８１２  第１頁
８１４  第２頁
９０２  線選択解読器及び駆動器
９０３  母線
９０４  発振器
９０６  マイクロプロセッサー
９０７  位置データ出力
９０８  増幅器
９１０  振幅探知機
９１２  アナログ／デジタル変換器
１１００  位置探知及び信号駆動システム
【図１】
2004245608.tif 000004
【図２】
2004245608.tif 000005
【図３】
2004245608.tif 000006
【図４】
2004245608.tif 000007
【図５】
2004245608.tif 000008
【図６】
2004245608.tif 000009
【図７】
2004245608.tif 000010
【図８】
2004245608.tif 000011
【図９】
2004245608.tif 000012
【図１０】
2004245608.tif 000013
【図１１】
2004245608.tif 000014
【図１２】
2004245608.tif 000015